(57)【要約】【課題】ロック手段のプッシュボタンが設けられたサムターンを解錠させること。【解決手段】略コ字形状のフレーム部10とフレーム部10の内部を挿通する線条材15と線条材15の基端側に設けられた操作部16と線条材15及びフレーム部10の先端に設けられたサムターン挟持部20とから成る。フレーム部10の中央部分がその長手方向に伸縮自在である。サムターン挟持部20が２枚のバネ板21から形成される。操作部16を回動すると、サムターン挟持部20も回動する。先端のサムターン挟持部20を扉のドアスコープの穴部から扉内側に挿入して、先端のサムターン挟持部20によってサムターンの両側に設けられたプッシュボタンを押圧しつつ挟持することができる。サムターン挟持部20は着脱自在である。基端側フレーム部11の基端部側にグリップ部25を着脱自在に設けた。【選択図】図１
2010236355.tif 000002
【特許請求の範囲】
【請求項１】
略コ字形状のフレーム部と、このフレーム部の内部を挿通する可撓性を有する線条材と、この線条材の基端側に設けられた操作部と、この線条材及びフレーム部の先端側に設けられたサムターン挟持部とから成り、
前記フレーム部の中央部分がその長手方向に伸縮自在に形成され、
前記操作部を線条材を中心として回動すると、先端部のサムターン挟持部も線条材を中心として回動し、
これにより、フレーム部の先端の前記サムターン挟持部を扉のドアスコープの穴部から扉内側に挿入して、先端部のサムターン挟持部によってサムターンの両側に設けられたプッシュボタンを押下しつつ挟持することができることを特徴とするロック付摘みオープナー。
【請求項２】
前記フレーム部が、基端側の略Ｌ字形状の基端側フレーム部と、先端側の略Ｌ字形状の先端側フレーム部と、これら両者を連結する略直線状の中央フレーム部とからなり、
中央フレーム部の両端部で前記基端側フレーム部と先端側フレーム部が長手方向に摺動して、その長手方向の長さを変更自在とし、
中央フレーム部と、その両端部の基端側フレーム部と先端側フレーム部との連結において、それぞれのフレーム部が周方向に回動しない構成とし、基端側フレーム部の基端部と先端側フレーム部の先端部が同一方向の位置関係となることを特徴とする請求項１に記載のロック付摘みオープナー。
【請求項３】
前記サムターン挟持部が２枚のバネ板から成り、これら２枚のバネ板の隙間部の両側に弾力性を有する複数本の針金状ガイド部材を設けたことを特徴とする請求項１又は２に記載のロック付摘みオープナー。
【請求項４】
前記サムターン挟持部をフレーム部の先端部に着脱自在に設けたことを特徴とする請求項１乃至３の何れか１項に記載のロック付摘みオープナー。
【請求項５】
前記基端側フレーム部の基端部側に、フレーム部を保持するためのグリップ部を着脱自在に設けたことを特徴とする請求項１乃至４の何れか１項に記載のロック付摘みオープナー。
【発明の詳細な説明】
【技術分野】
【０００１】
本発明は、扉のシリンダー錠等の室内側に配備されているサムターン等のロック付摘みを回転させて解錠するための器具であるロック付摘みオープナーに関するものである。
【背景技術】
【０００２】
マンション等の扉の錠として、現在、ピッキング被害を防止するためにシリンダー錠が使用されている。
シリンダー錠の室内側には、室内側から当該錠を開閉できるようにサムターンが設けられている。
このサムターンは、親指と人差し指で挟持して回転させることにより、錠を解錠できるようになっている。
【０００３】
ところで、居住者が外出した後に、上記シリンダー錠を解錠するための鍵を何処かに忘れた場合、或いはその鍵を紛失した場合、更には盗難に遭遇した場合など、自宅に戻って自室の錠を開けることができない、という場合が生じる。
その際には、専門錠前業者に依頼して当該シリンダー錠を解錠してもらうこととなる。
シリンダー錠の場合には、その鍵穴から解錠することが非常に難しいために、現行では、扉の覗き穴となっているドアスコープから器具を挿入して、扉の室内側に設けられているサムターンを回転させて解錠する方法が採用されている。
【０００４】
下記特許文献に記載のものは、何れも上記の方法を採用したもので、扉の覗き穴から器具を室内側に挿入してサムターンを回転させる形式のものである。
【先行技術文献】
【特許文献】
【０００５】
【特許文献１】特開２００３−３２８６１１号公報
【特許文献２】特開２００３−１７２０５１号公報
【特許文献３】実用新案登録第３０８２８６５号公報
【発明の概要】
【発明が解決しようとする課題】
【０００６】
しかしながら、上記特許文献に記載の器具で解錠するサムターンには、何らロック機構が備わっていないタイプのものであって、サムターンを単純に回転させるための器具であった。
現在のサムターンにあっては、そのサムターンである摘みにロック機能を付加したプッシュボタンを設けて、このプッシュボタンを押下しないと、そのロックが解除されずにその摘みが回転しないという形式ものが普及している。
【０００７】
そこで、本願発明においては、このようなプッシュボタンの如きロック手段が設けられたサムターンであっても、当該サムターンを回転して解錠できるサムターン解錠器具であるロック付摘みオープナーを提供することをその課題としている。
次に、覗き穴と錠との間隔距離も、扉により相違があるために、器具の長さを容易に変更できることも本発明の課題となる。
また、本発明においては、サムターンを挟持することとなるために、そのサムターンを挟持する際の案内部材を設けることもその課題となる。
更には、サムターンの挟持部材は何度も使用することにより消耗するため、また、異なるサムターンの厚みにも対応できるように、別のものと交換可能とすることもその課題となる。
その他、本発明に係る解錠器具をより使い勝手のよいものとするための手段を講じることも本発明の課題である。
【課題を解決するための手段】
【０００８】
上記課題を解決するために、本発明の第１のものは、略コ字形状のフレーム部と、このフレーム部の内部を挿通する可撓性を有する線条材と、この線条材の基端側に設けられた操作部と、この線条材及びフレーム部の先端側に設けられたサムターン挟持部とから成り、
前記フレーム部の中央部分がその長手方向に伸縮自在に形成され、
前記操作部を線条材を中心として回動すると、先端部のサムターン挟持部も線条材を中心として回動し、
これにより、フレーム部の先端の前記サムターン挟持部を扉のドアスコープの穴部から扉内側に挿入して、先端部のサムターン挟持部によってサムターンの両側に設けられたプッシュボタンを押下しつつ挟持することができることを特徴とするロック付摘みオープナーである。
【０００９】
本発明の第２のものは、上記第１の発明において、前記フレーム部が、基端側の略Ｌ字形状の基端側フレーム部と、先端側の略Ｌ字形状の先端側フレーム部と、これら両者を連結する略直線状の中央フレーム部とからなり、
中央フレーム部の両端部で前記基端側フレーム部と先端側フレーム部が長手方向に摺動して、その長手方向の長さを変更自在とし、
中央フレーム部と、その両端部の基端側フレーム部と先端側フレーム部との連結において、それぞれのフレーム部が周方向に回動しない構成とし、基端側フレーム部の基端部と先端側フレーム部の先端部が同一方向の位置関係となることを特徴とするロック付摘みオープナーである。
【００１０】
本発明の第３のものは、上記第１又は第２の発明において、前記サムターン挟持部が２枚のバネ板から成り、これら２枚のバネ板の隙間部の両側に弾力性を有する複数本の針金状ガイド部材を設けたことを特徴とするロック付摘みオープナーである。
【００１１】
本発明の第４のものは、上記第１乃至第３のそれぞれの発明において、前記サムターン挟持部をフレーム部の先端部に着脱自在に設けたことを特徴とするロック付摘みオープナーである。
【００１２】
本発明の第５のものは、上記第１乃至第４のそれぞれの発明において、前記基端側フレーム部の基端部側に、フレーム部を保持するためのグリップ部を着脱自在に設けたことを特徴とするロック付摘みオープナーである。
【発明の効果】
【００１３】
本発明の第１のものにおいては、略コ字形状のフレーム部をその先端部に設けられたサムターン挟持部から扉のドアスコープの穴部に挿入し、その先端部に設けられたサムターン挟持部によってサムターンを挟持することができる。
その際に、フレーム部の中央部分の長さを変更できるために、各種タイプの扉に対応できる。即ち、ドアスコープの穴部とサムターンの間隔距離が異なっていても容易に対応できることとなる。
【００１４】
サムターン挟持部はサムターンを良好に挟持することができる。
そして、サムターンの両側にプッシュボタンからなるロック手段が設けられたものであっても適切に挟み付けて押下し、そのロックを解除して回転することができることとなる。
尚、本発明においては、サムターンにロック手段となるプッシュボタンが設けられていない形式の摘みであっても当然解錠することができる。
【００１５】
上記構成からなる本発明においては、その解錠手順は、以下の通りとなる。
先ず、扉のドアスコープを工具を利用して取り外す。
上記ドアスコープの穴部に、本発明に係るオープナーをその先端から室内に挿入する。
基端側の操作部を把持して、フレーム部の長さを適宜伸長又は短縮してオープナー先端部に位置するサムターン挟持部を扉のサムターンの位置に適合させる。
オープナー全体を扉の手前側（表側）方向に引き寄せるようにして、先端のサムターン挟持部によってサムターンを挟持する。
この際、サムターンにロック手段としてのプッシュボタンが備わったものであっても、これらプッシュボタンを内部側に押し込んでロックが解除される。
その後、基端部の操作部を回動させることにより、先端のサムターン挟持部も、両者を接続している線条材を介して回動され、サムターンが回転せられることとなる。
これによりサムターンが解錠されるのである。
【００１６】
本発明の第２のものにおいては、フレーム部をより具体化したものであって、当該フレーム部が基端側フレーム部と中央フレーム部と先端側フレーム部とからなり、中央フレーム部の両端部で伸縮自在に構成され、更に、中央フレーム部の両端部で基端側フレーム部と先端側フレーム部とが回動しない構成を採用しているために、基端側フレーム部と先端側フレーム部のそれぞれの端部が同一方向となるようにしたため、先端部に位置するサムターン挟持部の向きが、先端側フレーム部の端部の方向と一致するために、サムターン挟持部をサムターンに挟持させる際に、便利なものとなる。
【００１７】
本発明の第３のものにあっては、オープナーの先端に設けられたサムターン挟持部が２枚のバネ板から形成されているために、サムターンの摘みをこの２枚のバネ板が良好に挟持することができる。
更に２枚のバネ板の間の隙間の両側に複数の針金状ガイド部材を設けたことにより、このガイド部材が適切にサムターンの両側部分に適合し、２枚のバネ板がサムターンの両側の平面部に適切に案内されて挟持することができる。
【００１８】
本発明の第４のものにおいては、オープナー先端のサムターン挟持部を着脱自在として交換可能としているために、これが消耗した際、或いはこの挟持部を異なる間隔のバネ板からなるサムターン挟持部に取り替えることが可能となる。
【００１９】
本発明の第５のものにおいては、基端側フレーム部の基端側に、フレーム部を保持するためのグリップ部を着脱自在に設けたため、オープナーをドアスコープの穴部に挿入する際にはこれを取り外した状態で行い、挿入後に適切な位置にグリップ部を取り付けて操作することができ、このグリップ部が邪魔になることがない。
また、取付部を２箇所以上に設けることにより、このグリップ部の取り付け位置を変更することも可能となるのである。
【図面の簡単な説明】
【００２０】
【図１】本発明に係るロック付き摘みオープナーの一実施形態の全体説明図である。
【図２】上記実施形態に係るオープナーの分解説明図である。
【図３】上記実施形態に係るオープナーの先端部に取り付けられるサムターン挟持部を図示しており、その（Ａ）が斜視図、その（Ｂ）が平面図、その（Ｃ）が側面図を示している。
【図４】本発明に係るフレーム部の他の実施形態を図示する要部分解説明図である。
【発明を実施するための形態】
【００２１】
以下、添付の図面と共に本発明の実施形態について説明する。
図１は、本発明に係るロック付摘みオープナーの一実施形態の全体説明図である。
本発明に係るロック付摘みオープナーは、３つの構成部分からなるフレーム部１０と、このフレーム部１０の内部を挿通する可撓性を有する線条材１５と、この線条材１５の基端側に設けられた操作部１６と、線条材１５の先端部に着脱自在に取り付けられるサムターン挟持部２０と、フレーム部１０の基端側に着脱自在に固定されるグリップ部２５とから構成されている。
【００２２】
フレーム部１０は、略Ｌ字形状の基端側フレーム部１１と、中間の直線状の中央フレーム部１２と、前記基端側フレーム部１１と略対称の略Ｌ字形状の先端側フレーム部１３とから成る。
そして、基端側フレーム部１１の中央部側と先端フレーム部１３の中央部側とが横断面略四角形の角型管体１１ｋ、１３ｋからなり、中央フレーム部１２も横断面四角形の角型管体１２ｋから形成されて、この中央フレーム部１２の両端部が、それぞれ基端側フレーム部１１と先端側フレーム部１３の内部に嵌入し得るように形成されている。
【００２３】
これにより、フレーム部１０の中央部分の長さが長短伸縮自在に形成され、且つ基端側フレーム部１１及び先端側フレーム部１３のそれぞれの端部が同一方向に向くこととなるのである。
つまり、中央フレーム部１２の両端部で、基端側フレーム部１１及び先端側フレーム部１３とが回動しないこととなるのである。
【００２４】
操作部１６は、上記フレーム部１０の内部の全体を挿通する線条材１５の基端部に固定されており、厚みの薄い円筒形状を有するダイヤル形状のものからなり、これを把持して回動すると、線条材１５の先端部に取り付けられているサムターン挟持部２０も回動することとなる。
同時に、この操作部１６を線条材１５の長手方向手前側に引っ張ることにより、フレーム部１０の中央部分が収縮し、逆にその長手方向前方に押し入れることによりフレーム部１０の中央部分が伸長することとなる。
【００２５】
サムターン挟持部２０は、その先端部に２枚のバネ板２１、２１が固定され、これらのバネ板２１、２１同士の間隙部内に図示はしていないが、サムターンを挟持することができる。
基端側フレーム部１１の基端側の下方にはグリップ部２５が着脱自在に固定される。
このグリップ部２５は、その全体が略スクリュードライバー形態を有しており、その先端側の棒状体２６の先端にナット部材２５ｎが設けられたものである。
このグリップ部２５の握り部２５ｍを左回転することにより、基端側フレーム部１１から離脱させ、上方側の取付部３０に螺合させ、取り付けることもできるものである。
【００２６】
使用に際しては、解錠すべき扉のドアスコープの穴部に、上記オープナーをその先端から、即ち、サムターン挟持部２０の側から室内に挿入する。
この際、フレーム部１０はそれぞれ相互に分離可能なため、何ら問題なく室内に挿入できる。
操作部１６を把持して、フレーム部１０の長さを適宜伸長又は短縮してオープナー先端部に位置するサムターン挟持部２０を扉のサムターンの位置に適合させる。
オープナー全体を扉の手前側（表側）方向に引き寄せるようにして、先端のサムターン挟持部２０のバネ板２１、２１によってサムターンを挟持する。
この際、サムターンにロック手段としてのプッシュボタンが備わったものであっても、これらプッシュボタンを内部側に上記２枚のバネ板が押し込んでロックが解除される。
その後、操作部１６を回動させることにより、先端のサムターン挟持部２０も、両者を接続している線条材１５を介して回動され、サムターンが回転せられ、解錠されることとなるのである。
【００２７】
図２は、上記実施形態に係るオープナーの分解説明図である。
この図から本発明に係るオープナーの構造も明確となる。
即ち、フレーム部１０は、基端側フレーム部１１と中央フレーム部１２と先端側フレーム部１３とから成る。
基端側フレーム部１１は、略Ｌ字形状を有する金属製管体からなり、その基端部から湾曲部に架けては横断面円形形状の円管１１ｍからなり、その中央側の端部部分は横断面四角形形状の角型管体１１ｋからなる。
【００２８】
他方、先端側フレーム部１３も、上記基端側フレーム部１１とほぼ同様の構成からなるが、丁度対称形に配置される。
即ち、その湾曲部及び先端側が横断面円形形状の金属製円管１３ｍからなり、その中央側が横断面四角形形状の金属製角型管体１３ｋからなる。
これにより、横断面四角形形状の金属製角型管体１２ｋから成る中央フレーム部１２の両端部が前記基端側フレーム部１１と先端側フレーム部１３の中央側端部の内部に嵌入し、フレーム部１０の直線状の中央部分でその長さが長短伸縮することができる。
【００２９】
フレーム部１０の内部を挿通する線条材１５は、細い鋼線をラセン状に巻回したものからなるフレキシブルチューブから形成されたもので、可撓性を有し、基端側に固定された操作部１６を回動すると、線条材１５の先端部に固定されているネジ棒１７も回動する。
また、その線条材１５の先端のネジ棒１７が先端側フレーム部１３の先端部に設けられたナット部材１３ｓと螺合しているために、操作部１６を線条材１５の長手方向前方に移行させると、フレーム部１０の中間部分が伸張することとなるのである。
即ち、中央フレーム部１２の両端部が、基端側フレーム部１１及び先端側フレーム部１３の中央側端部からその外部に露出してその中央部分の長さが伸長するのである。
【００３０】
サムターン挟持部２０の基端側には、ナット部２２が設けられており、このナット部２２と線条材１５の先端部のネジ棒１７とが螺合して連結固定される。他の形態のサムターン挟持部と交換する際は、この螺合連結を解除して容易に分離し、交換することができる。
グリップ部２５は、既に述べたように、その取り付け位置を変更することができる。
取付部３０には、雄ネジ部３１が備えられており、この実施形態では、下向きと上向きと２つ設けており、これらの一方を選択して、グリップ部２５の先端のナット部材２５ｎを雄ねじ部３１に螺合すればよい。
この実施形態では、このグリップ部２５の先端側の棒状体２６の延長方向がフレーム部１０の中央フレーム部１２の延長方向と一致することとなる。これにより、先端側フレーム部１３の先端部の位置を指示することとなる。
【００３１】
図３は、上記実施形態に係るオープナーの先端部に取り付けられるサムターン挟持部を図示しており、その（Ａ）が斜視図、その（Ｂ）が平面図、その（Ｃ）が側面図を示している。
本発明におけるサムターン挟持部２０は、既に述べた通り、線条材の先端部に着脱自在に取り付けられるもので、先端に設けた２枚のバネ板２１、２１と、基端側のナット部２２を有している。
【００３２】
（Ａ）図では、サムターンＴに挟持させる直前の状態を示しているが、サムターンＴの上下の平面Ｓには、ロック解除のためのプッシュボタンＰが設けられており、サムターン挟持部２０の先端の２枚のバネ板２１、２１が、このサムターンＴの上下の平面Ｓを挟持することができる。
その際に、これらバネ板２１、２１は、同時に平面Ｓに設けられているプッシュボタンＰをも押下することができる。
これにより、サムターンＴが回転せられるのである。
尚、この図では、図解明瞭化のために、ガイド部材の図示は省略している。
【００３３】
（Ｂ）図及び（Ｃ）図では、上記バネ板２１、２１の両側に設けられたガイド部材２３、２３を示している。
これらガイド部材２３は、可撓性を有し、靭性の高い、鋼製針金を使用して、バネ板２１、２１が良好にサムターンを挟持できるように案内するために設けられている。
この実施形態では、バネ板２１、２１の両側（（Ｂ）図の平面図において上下の位置）に３本ずつ設けている。
【００３４】
図４は、本発明に係るフレーム部の他の実施形態を図示する要部分解説明図である。
この実施形態に係るフレーム部は、それを構成する３つのフレーム部の何れも横断面円形形状の金属製管体から形成されたものである。
即ち、フレーム部１０の中央部分が長短伸縮自在となるように、中央フレーム部１２の両端部の構成を前記実施形態と異なるものとして、中央フレーム部１２の基端側端部においては、その管体の半分を切り欠いて形成し、他方、これに摺動連結する基端側フレーム部１１の先端側には、より外径の小さい小径の管体と大径の管体とを接合し、後者の大径管体の半分を切り欠いて形成したものである。
【００３５】
同様に、中央フレーム部１２の他方の端部は、上記基端側フレーム部１１の先端側端部構造と同一とし、先端側フレーム部１３の基端側端部は、中央フレーム部１２の基端側端部と同一形態として、これらフレーム部１１、１２、１３を相互に連結して、その中央部分で伸縮自在とし、周方向に回動不能としたものである。
このように、フレーム部の中央部分を伸縮自在及び回動不能とする構成は、全く自由に設計することができる。
【００３６】
上記実施形態では、いずれのタイプのフレーム部のものも３つの構成要素から形成したが、これを２つの構成要素から形成することも可能である。
即ち、上記基端側フレーム部と先端側フレーム部との２つの構成要素から本発明のフレーム部を形成することも可能である。
例えば、基端側フレーム部と先端側フレーム部の中央部分側の直線状の長さを長く形成して、一方端部を他方端部に嵌入させる構成を採用すればよいからである。
しかしながら、長短伸縮長さをより長く確保するために、中央フレーム部として各種の長さのものを用意しておき、これらを現場の状況に合せて適宜選択して使用することが極めて望ましいために、上記実施形態では、３つの構成要素からなるフレーム部を採用したものである。
【００３７】
以上、本発明の実施形態について説明したが、本発明においては以下の通り各種その形態を変更して実施することができる。
本発明に係るフレーム部のサイズ、材質等は、適宜自由に設定することができる。
但し、扉に設けられているドアスコープの穴部の内径が約１２ｍｍであるため、本発明に係るフレーム部及びサムターン挟持部の外径は、このサイズ以内としている。
尚、針金状ガイド部材は、中心側にすぼめることが可能なため、その外径は上記穴部の内径よりも大きく形成しても問題はない。
【００３８】
また、先端側フレーム部の形状も略Ｌ字形状としているが、この形状についても厳密にＬ字形状そのままでなく、例えば縦方向の部分の湾曲側（下側）において、図１の左方向に膨出するような形状とすることもできる。
これにより例えばサムターンの上方側の扉の部分に何か物体が存在しても問題なく先端のサムターン挟持部をサムターンに挟持させることができるからである。
サムターンを挟持するバネ板もその形状は自由であり、要はサムターンの両側の平面を挟持できるものであれば、どのような形態のものであってもよく、その材質も弾力性のあるものであれば、自由に選択することができる。
要するに２枚の挟持体で、サムターンを挟むことができればよいものである。
【００３９】
フレーム部中央の伸縮構造も全く自由である。上記実施形態では一方の管体端部が他方の管体端部に嵌入するように構成したが、フレーム部の端部に軸芯方向に長条ガイド孔部を形成し、他方のフレーム部の端部に突起部を設けて、当該突起部が前記長条ガイド孔部と係合して摺動するように構成することもできる。
更には、フレーム部は、必ずしも管体でなくとも実施することは可能である。
【００４０】
線条材も、上記実施形態で使用したものに限られず、可撓性を有する細径の鋼製ワイヤーを使用することも可能である。
操作部の形態もまた自由に設計することができ、要するに操作部を回動して線条材をも同時に回動できるものであれば、どのようなものであってもよい。
線条材の先端に設けたネジ棒と、これに螺合するサムターン挟持部のナット部との構成も、これに限られることなく、両者の端部が連結かつ離脱でき、相互の回転運動が伝達できるものであれば、どのような構造のものであってもよいものである。
【００４１】
グリップ部も上記実施形態では、スクリュードライバー形態のものを使用したが、この形態も全く自由に設計変更することができ、要するに手で握る形態のものであればよい。
また、グリップ部の棒状体の部分は、出来る限り長く形成した方が好ましい。
この棒状体の延長線上にサムターン挟持部が位置するため、その目安となるからである。
更に、このグリップ部は、基端側フレーム部の下方部又は上方部、若しくは横方向の何れの位置にも取り付けることが可能となる。
【００４２】
グリップ部の取付部を基端側フレーム部に予め複数設けておけばよいからである。
針金状ガイド部材もまた適宜その形態を変更することが可能である。
以上、本発明の実施形態について説明したが、本発明においては、上記構成を備えることによって、プッシュボタン式ロック機構を備えるサムターン或いはそのプッシュボタンの無いサムターンであっても、その摘みを確実に挟持することができ、極めて確実にサムターンを解錠できるオープナーを提供できたものである。
【符号の説明】
【００４３】
１０  フレーム部
１１  基端側フレーム部
１２  中央フレーム部
１３  先端側フレーム部
１５  線条材
１６  操作部
２０  サムターン挟持部
２１  バネ板
２３  ガイド部材
２５  グリップ部
【図１】
2010236355.tif 000003
【図２】
2010236355.tif 000004
【図３】
2010236355.tif 000005
【図４】
2010236355.tif 000006